(57)【要約】 【課題】ユーザーのスクリーン印刷版の保管スペースを無くし、且つユーザーがスクリーン印刷版の必要時に低コスト、且つ短納期に調達することを可能とし、更には、保管業者が小スペースで保管することができる。【解決手段】枠材２１にスクリーンメッシュ２２を介して開口部２４を有するマスク２３が張設された依頼者のスクリーン印刷版２０の保護預かりに際し、受領したスクリーン印刷版２０から保管するマスク２３を剥離する工程と、返却するに際し、保管しているマスク２３を金属枠材２１にスクリーンメッシュ２２を介して張設してスクリーン印刷版２０を作製する工程とを備えるスクリーン印刷版の保護預かり方法であり、保管管理システム２０でスクリーン印刷版の情報を管理し、返却の際のスクリーン印刷版２０の作製時に前記スクリーン印刷版の仕様情報や保管場所の情報を用いる。【選択図】図１
2006103133.tif 000002
【特許請求の範囲】
【請求項１】
枠材に紗を介して開口部を有するマスクが張設された依頼者のスクリーン印刷版の保護預かりに際し、受領したスクリーン印刷版から保管する該開口部を有するマスクを剥離する工程と、該依頼者のスクリーン印刷版を返却するに際し、保管している該依頼者の該マスクを枠材に紗を介して張設して、該依頼者に返却するスクリーン印刷版を作製する工程とを備えることを特徴とするスクリーン印刷版の保護預かり方法。
【請求項２】
前記依頼者のスクリーン印刷版を返却するに際し、保管している前記依頼者の前記マスクを、前記保護預かりの際と同一仕様若しくは前記依頼者の要求仕様の枠材に紗を介して張設することを特徴とする請求項１記載のスクリーン印刷版の保護預かり方法。
【請求項３】
枠材に紗を介して開口部を有するマスクが張設された依頼者のスクリーン印刷版の保護預かりに際し、受領したスクリーン印刷版から保管する該開口部を有するマスクを剥離する工程と、該依頼者のスクリーン印刷版を返却するに際し、保管している該依頼者の該マスクを枠材に紗を介して張設して、該依頼者に返却するスクリーン印刷版を作製する保管業者における保管管理システムであって、
少なくとも、制御部が、入力部から入力される依頼者を特定する情報と、受領するスクリーン印刷版の仕様情報及び保管場所の情報と、入力部から入力される若しくは生成して付与する該スクリーン印刷版から剥離されるマスクの識別情報とを関連付けてデータベースに記憶し、
返却するスクリーン印刷版を作製する場合における入力部からの所定の表示入力に応じて、該依頼者を特定する情報と該マスクの識別情報に対応する該スクリーン印刷版の仕様情報及び保管場所の情報をデータベースから抽出して表示部で表示することを特徴とする保管管理システム。
【請求項４】
枠材に紗を介して開口部を有するマスクが張設された依頼者のスクリーン印刷版の保護預かりに際し、受領したスクリーン印刷版から保管する該開口部を有するマスクを剥離する工程と、該依頼者のスクリーン印刷版を返却するに際し、保管している該依頼者の該マスクを枠材に紗を介して張設して、該依頼者に返却するスクリーン印刷版を作製する保管業者のコンピュータで用いる保管管理プログラムであって、
少なくとも、該コンピュータの制御部を、入力部から入力される依頼者を特定する情報と、受領するスクリーン印刷版の仕様情報及び保管場所の情報と、入力部から入力される若しくは生成して付与する該スクリーン印刷版から剥離されるマスクの識別情報とを関連付けてデータベースに記憶し、
返却するスクリーン印刷版を作製する場合における入力部からの所定の表示入力に応じて、該依頼者を特定する情報と該マスクの識別情報に対応する該スクリーン印刷版の仕様情報及び保管場所の情報をデータベースから抽出して表示部で表示する手段として機能させることを特徴とする保管管理プログラム。
【発明の詳細な説明】
【技術分野】
【０００１】
本発明は、電子基板への電子部品の実装でハンダペースト等の導電性ペーストを印刷する場合等に用いるスクリーン印刷版の保護預かり方法、保管管理システム及び保管管理プログラムに関する。
【背景技術】
【０００２】
従来、電子基板への電子部品の実装でハンダペーストを印刷する場合等にスクリーン印刷版が用いられている。スクリーン印刷版としては、例えば特許文献１に示すように、枠材にスクリーンメッシュ（紗）を張設し、開口部が形成されたメタルマスクをスクリーンメッシュの中央部に配置して、接着剤で張設する構成が知られており、前記メタルマスクの開口部を通してハンダペーストが電子基板に印刷される。
【特許文献１】特開平４−２８４２４７号公報
【発明の開示】
【発明が解決しようとする課題】
【０００３】
ところで、電子基板への電子部品の実装を行うスクリーン印刷版のユーザー（実装メーカー）は、製品の製造終了後も５年から９年間など長期間に亘り、補修部品を準備したり用意する必要があるため、実装で使用したスクリーン印刷版を倉庫に保管するか、或いはスクリーン印刷版を廃棄して必要に応じて新規に発注することで対応している。
しかしながら、実装で使用したスクリーン印刷版を倉庫に保管する場合には、その保管スペースが膨大なものとなり、多大な保管コストがかかってしまう。更に、保管していたスクリーン印刷版は版の紗が劣化し、版の品質低下を起こし、再使用に際しては通常マスクをスクリーン印刷版から剥離し、再度新しい紗を用いて枠材に貼り合わせていた。また、実装で使用したスクリーン印刷版を廃棄して必要に応じて新規に発注する場合には、調達コストが大きくなると共に、スクリーン印刷版が急ぎで必要になったときに対応することができない。従って、ユーザーのスクリーン印刷版の保管スペースを無くし、且つユーザーがスクリーン印刷版の必要時に低コスト、且つ短納期で調達することができる構成が求められている。
本発明は上記課題に鑑み提案するものであって、ユーザーのスクリーン印刷版の保管スペースを無くし、且つユーザーがスクリーン印刷版の必要時に低コスト、且つ短納期で調達することを可能とし、更には、保管業者が小スペースで保管することができるスクリーン印刷版の保護預かり方法、及びスクリーン印刷版の保管業者で用いる保管管理システム、保管管理プログラムを提供することを目的とする。
【課題を解決するための手段】
【０００４】
本発明のスクリーン印刷版の保護預かり方法は、枠材に紗を介して開口部を有するマスクが張設された依頼者のスクリーン印刷版の保護預かりに際し、受領したスクリーン印刷版から保管する該開口部を有するマスクを剥離する工程と、該依頼者のスクリーン印刷版を返却するに際し、保管している該依頼者の該マスクを枠材に紗を介して張設して、該依頼者に返却するスクリーン印刷版を作製する工程とを備えることを特徴とする。
更に、本発明のスクリーン印刷版の保護預かり方法は、前記依頼者のスクリーン印刷版を返却するに際し、保管している前記依頼者の前記マスクを、前記保護預かりの際と同一仕様若しくは前記依頼者の要求仕様の枠材に紗を介して張設することを特徴とする。尚、返却の際にスクリーン印刷版の作製で用いる枠材は、保護預かりの際の枠材と同一の枠材、又は別の枠材とすることが可能である。
【０００５】
本発明の保管管理システムは、枠材に紗を介して開口部を有するマスクが張設された依頼者のスクリーン印刷版の保護預かりに際し、受領したスクリーン印刷版から保管する該開口部を有するマスクを剥離する工程と、該依頼者のスクリーン印刷版を返却するに際し、保管している該依頼者の該マスクを枠材に紗を介して張設して、該依頼者に返却するスクリーン印刷版を作製する保管業者における保管管理システムであって、少なくとも、制御部が、入力部から入力される依頼者を特定する情報と、受領するスクリーン印刷版の仕様情報及び保管場所の情報と、入力部から入力される若しくは生成して付与する該スクリーン印刷版から剥離されるマスクの識別情報とを関連付けてデータベースに記憶し、返却するスクリーン印刷版を作製する場合における入力部からの所定の表示入力に応じて、該依頼者を特定する情報と該マスクの識別情報に対応する該スクリーン印刷版の仕様情報及び保管場所の情報をデータベースから抽出して表示部で表示することを特徴とする。
【０００６】
本発明の保管管理プログラムは、枠材に紗を介して開口部を有するマスクが張設された依頼者のスクリーン印刷版の保護預かりに際し、受領したスクリーン印刷版から保管する該開口部を有するマスクを剥離する工程と、該依頼者のスクリーン印刷版を返却するに際し、保管している該依頼者の該マスクを枠材に紗を介して張設して、該依頼者に返却するスクリーン印刷版を作製する保管業者のコンピュータで用いる保管管理プログラムであって、少なくとも、該コンピュータの制御部を、入力部から入力される依頼者を特定する情報と、受領するスクリーン印刷版の仕様情報及び保管場所の情報と、入力部から入力される若しくは生成して付与する該スクリーン印刷版から剥離されるマスクの識別情報とを関連付けてデータベースに記憶し、返却するスクリーン印刷版を作製する場合における入力部からの所定の表示入力に応じて、該依頼者を特定する情報と該マスクの識別情報に対応する該スクリーン印刷版の仕様情報及び保管場所の情報をデータベースから抽出して表示部で表示する手段として機能させることを特徴とする。
【０００７】
尚、上記依頼者を特定する情報は、例えば依頼者の名称等とし、また、上記スクリーン印刷版の仕様情報はスクリーン印刷版の仕様を特定可能な情報であり、例えばスクリーン印刷版の品番・種類、スクリーン印刷版の枠材の種類・サイズ・厚み等とし、また、上記保管場所の情報はマスクの保管場所を特定可能な情報であり、例えば保管ケース番号、保管棚番号等とし、また、マスクの識別情報は例えばスクリーン印刷版の管理番号或いはマスクの管理番号等とする。
また、本発明において用いられるマスク、枠材、紗の種類、材質、サイズ等に関しては特に限定はなく、例えばマスクとしてはニッケル又はニッケル合金やステンレス等からなる金属マスク、ポリイミド樹脂等からなるプラスチックマスク、前記金属とプラスチックの積層体等からなる複合マスクが挙げられる。又、枠材としてはアルミやアルミ合金等の金属からなる枠材が、紗としてはナイロン、ポリエステル、ステンレス等からなる紗が挙げられる。
【発明の効果】
【０００８】
本発明のスクリーン印刷版の保護預かり方法は、ユーザーのスクリーン印刷版の保管スペースを無くし、且つユーザーがスクリーン印刷版の必要時に低コスト、且つ短納期に調達することを可能にする。更に、保管業者はスクリーン印刷版からマスクを剥離し、返却時にマスクを枠材に紗を介して張設することにより、保管業者は、マスクのみ全量を保管し、且つ返却時に用いる同一仕様の枠材は所要量だけ準備することで在庫圧縮を図ることができ、嵩張る枠材を削減して保管スペースを小スペース化することができる。更に、保管業者は保護預かりサービスで収益を得ることが可能であり、新規なビジネスを創出することができる。
【０００９】
更に、スクリーン印刷版の返却の際に、保管している依頼者のマスクを、保護預かりの際の枠材と同一仕様や依頼者の要求仕様の枠材に紗を介して張設することで、返却時に於けるユーザーの便宜性を高めることができる。
また、スクリーン印刷版の保管業者が用いる保管管理システムや保管管理プログラムは、本発明のスクリーン印刷版の保護預かり方法をスムーズな管理下で実現することを可能にし、特に、スクリーン印刷版の仕様情報や保管場所の情報を記憶して表示可能とすることで、依頼者へのスクリーン印刷版の返却時に於けるスクリーン印刷版の取り出しや作製を正確且つ効率的に行うことを可能にする。
【発明を実施するための最良の形態】
【００１０】
以下、本発明について、スクリーン印刷版の保護預かり及び返却とその保管管理の実施形態に基づき説明する。
先ず、図１に示すように、スクリーン印刷版の保護預かりを行う保管業者に依頼者である顧客は、例えば図３に示すスクリーン印刷版２０の保管依頼を送付して、保管依頼するスクリーン印刷版２０を送付する。前記保管依頼には、必要に応じて、例えば顧客名、顧客の部署名、顧客の担当者名、住所、連絡先等の顧客（依頼者）に関する顧客情報（依頼者情報）や、保管依頼を受けたスクリーン印刷版２０の品番、種類、サイズ、厚み等のスクリーン印刷版の仕様情報のうち所要情報を含める。保管業者は、保管依頼及びスクリーン印刷版２０を受領して入庫すると共に、保管管理システム１０に入庫時の情報を入力する。
【００１１】
ここで、保管管理システム１０は、図２に示すように、ＣＰＵ等の制御部１と、ＲＯＭ・ＲＡＭ・ハードディスク等で構成される記憶部２と、ハードディスク等で構成される顧客管理データベース３及び保管管理データベース４と、キーボードやマウス等の入力部５と、液晶ディスプレイ等の表示部６と、プリンタやＩＣタグ書込み機等の出力部７とを備え、記憶部２は、制御部１を所定手段として機能させる各種プログラムを記憶するプログラム記憶領域、所要のデータを記憶するデータ記憶領域、データ処理を行うワーキングエリアを有する。前記プログラム記憶領域には、制御部１をスクリーン印刷版の保管管理をする手段として機能させる保管管理プログラムが記憶されており、制御部１は前記保管管理プログラムに従って各種処理を行う。
【００１２】
そして、保管管理システム１０の制御部１は、保管業者による保管管理プログラムの起動入力に応じて保管管理プログラムを起動し、保管管理プログラムに従う制御部１は、各種選択ボタンが示されるトップメニュー画面を表示部６で表示し、選択ボタンから入庫時の情報入力画面の指定に応じて、入庫時の情報入力画面を表示する。
保管業者は、入庫時の情報入力画面に於いて、入庫時の情報として、例えば顧客名、顧客の部署名、顧客の担当者名、住所、連絡先等の顧客（依頼者）に関する顧客情報（依頼者情報）と、例えば保管依頼を受けたスクリーン印刷版２０の入庫日、品番、種類、サイズ、厚み等のスクリーン印刷版の仕様情報と、スクリーン印刷版２０の品番に応じた管理番号とを入力部５から入力し、保存入力する。保管管理システム２０の制御部１は保管管理プログラムに従い、入力された顧客情報を顧客管理データベース３に格納すると共に、入力された管理番号と顧客名及び顧客の部署名とスクリーン印刷版の仕様情報を対応させて保管管理データベース４に格納する。
【００１３】
尚、前記管理番号は、スクリーン印刷版２０の識別情報或いは保管するスクリーン印刷版２０のメタルマスク２３の識別情報となるものであり、管理番号は、前述の如く保管業者が入力する構成の他、スクリーン印刷版の品番の種別に対応して割り当てられる所定範囲の番号グループを記憶部２に格納し、制御部１が入力された品番を認識し、その品番の種別に対応する番号グループの中から使用済の番号の次の番号を、直近の使用済番号に１を加算する等で認識して管理番号を生成し、その管理番号をスクリーン印刷版２０に付与する構成としてもよい。また、スクリーン印刷版の仕様情報には、スクリーン印刷版の仕様を特定する適宜の情報が含まれ、例えば種類等の情報に加え或いは代えて、スクリーン印刷版の枠材の形状・材質、スクリーン印刷版のテンションの情報、中央などマスクの貼込位置の情報、紗のメッシュ・材質に関する情報等を適宜用いて、入力及び記憶してもよい。
更に、制御部１は、例えば入庫時の情報入力画面に於ける管理番号の指定及び預かり証やコード印刷体又はＩＣタグの発行の指定入力に応じて、指定された管理番号で特定されるスクリーン印刷版２０の預かり証や前記管理番号（マスクの識別情報）に対応するコード情報又はＩＣタグ情報を生成し、その預かり証やバーコードや二次元コード等のコード印刷体を出力部７のプリンタで印刷したり、ＩＣタグ書込み機で非接触式或いは接触式ＩＣタグを作成する。前記印刷された預かり証は、保管業者から顧客へ送付される。
【００１４】
その後、スクリーン印刷版２０からマスク２３を剥離し、清掃する。ここで、スクリーン印刷版２０は、図３に示すように、方形の枠材２１の下側に接着剤で紗（以降スクリーンメッシュと称す）２２が貼られて張設され、スクリーンメッシュ２２の中央部にハンダペーストが抜け出る所定パターンの開口部２４が形成されたマスク２３が配設されたものであって、スクリーンメッシュ２２の中央はマスク２３と同形で若干小さいサイズに切り抜かれ、マスク２３の周縁がスクリーンメッシュ２２の内周縁に下側から重ねられて接着部２５で貼付されている構成である。
【００１５】
前記剥離、清掃では、マスク２３をスクリーンメッシュ２２から剥離すると共に、枠材２１からスクリーンメッシュ２２を剥離し、スクリーンメッシュ２２を廃棄する一方で、枠材２１に付着した接着剤とメタルマスク２３に付着した接着剤を除去し、接着剤を除去した枠材２１とマスク２３をそれぞれ保管する。枠材２１は、仕様毎に分けて保管庫に保管し、次回のスクリーン印刷版返却時に利用できるように備える。それ故に顧客が自社で保管する際はマスクを枠材に張設したままで保管していたので、マスク毎に枠材を必要としたが、保護預かり方式ではマスク毎には枠材は不要となり、枠材のコストを大幅に抑えることができ、且つ保管スペースの増大を防止する。
【００１６】
また、マスク２３は、上記管理番号（マスクの識別情報）に対応するバーコード、二次元コード等のコード印刷体やＩＣタグを貼付する等により取り付け、コード印刷体やＩＣタグを取り付けたマスク２３を保管ケースに収容し、その保管ケースを保管棚に収納する。そして、マスク２３の保管の際には、保管業者は、保管管理システム１０に保管時の情報を入力する。即ち、保管管理システム１０の制御部１は、選択ボタンから保管時の情報入力画面の指定に応じて、保管時の情報入力画面を表示し、保管時の情報入力画面に於ける、例えば保管開始日、保管ケース番号や保管棚番号等の保管場所の情報、保管開始日から例えば７年後など保管期限等の保管時の情報の入力及び保存入力に応じて、前記保管時の情報を、管理番号に対応させて保管管理データベース４に格納する。
【００１７】
その後、スクリーン印刷版の保護預かりを依頼した顧客は、スクリーン印刷版２０が必要になった場合にスクリーン印刷版２０の返却依頼を保管業者に送付する。前記返却依頼には、顧客名や預かり証に記載された管理番号（マスクの識別番号）、送付先・送付期限・送付形態・発注日等の所要情報を含める。保管業者は、スクリーン印刷版２０の返却依頼の受注に基づき、保管管理システム１０に返却受注時の情報を入力する。保管管理システム１０の制御部１は、返却受注時の情報入力画面の指定入力に応じて、返却受注時の情報入力画面を表示し、返却受注時の情報入力画面に於ける、例えば前記返却依頼の送付先・送付期限・送付形態・発注日に対応する出荷先・出荷予定日・出荷形態・受注日等の返却受注時の入力及び保存入力に応じて、前記返却受注時の情報を、管理番号に対応させて保管管理データベース４に格納する。
【００１８】
更に、保管業者は、保管管理システム１０に所定の検索画面表示の入力や、検索画面に於ける返却依頼の管理番号（マスクの識別情報）の入力及びその検索入力を行い、保管管理システム１０の制御部１は、これらの入力に応じて、所定の検索画面を表示すると共に、保管管理データベース４から入力された管理番号（マスクの識別情報）に対応するスクリーン印刷版の情報を抽出し、表示部６で表示する。前記検索で表示するスクリーン印刷版の情報は、入力した全て或いは所要のスクリーン印刷版情報とすることが可能であるが、例えばマスク２３からスクリーン印刷版２０を構成するための、スクリーン印刷版２０の品番、種類、サイズ、厚み等のスクリーン印刷版２０の仕様情報と、保管ケース番号、保管棚番号等の管理番号のマスク２３が保管されている保管場所の情報等を含ませる。
【００１９】
その後、保管業者は、前記表示の保管ケース番号及び保管棚番号等のスクリーン印刷版の保管場所の情報に基づき、保管されているマスク２３を取り出し、前記表示のスクリーン印刷版の仕様情報に基づき、前記仕様情報に対応する枠材２１、スクリーンメッシュ２２を用いて、マスク２３からスクリーン印刷版２０を作製する。スクリーン印刷版２０を作製する際には、スクリーン印刷版２０の仕様情報に基づき、枠材２１の下側に接着剤でスクリーンメッシュ２２を貼付して、枠材２１の内側にスクリーンメッシュ２２を所定のテンションで張設し、マスク２３の周縁に沿って接着剤を塗布し、マスク２３を枠材２１の中央部に配置して前記接着剤でスクリーンメッシュ２２に接着し、更に、スクリーンメッシュ２２の中央部をマスク２３の周縁から所定距離を置いた内側位置で切り抜き、スクリーン印刷版２０を作製する（図３参照）。
【００２０】
また、スクリーン印刷版２０を作製する際には、入庫時に入力されたスクリーン印刷版２０の仕様情報を用いる他、例えばスクリーン印刷版２０の返却依頼に記載された顧客が求める要求仕様に応じて作製することも可能であり、例えば保管管理システム１０に返却受注時に顧客の要求仕様を入力して記憶し、その検索表示結果に基づきスクリーン印刷版２０を作製する構成等とする。
その後、保管業者は、出庫時の情報入力画面の指定入力及び出庫時の情報入力を行い、保管管理システム１０の制御部１は、出庫時の情報入力画面を表示し、出庫時の情報入力画面に於ける、例えば出庫日等の出庫時の情報入力及び保存入力に応じて、前記出庫時の情報を管理番号に対応させて保管管理データベース４に格納する。更に、制御部１は、例えば出庫時の情報入力画面に於ける管理番号の指定及び送り状の発行の指定入力に応じて、指定された管理番号で特定されるスクリーン印刷版２０の送り状を生成し、その送り状を出力部７のプリンタで印刷する。そして、作製されたスクリーン印刷版２０及びその送り状は顧客に送付され返却される。
【００２１】
尚、上記保管管理システム１０の入庫時の情報入力画面、保管時の情報入力画面、返却受注時の情報入力画面、出庫時の情報入力画面はそれぞれ別画面とする他、適宜の情報を同一画面で入力させる構成とすることが可能であり、また、預かり証、バーコードや二次元コード等のコード印刷体、非接触式或いは接触式ＩＣタグ、送り状の発行に対する画面やボタンも適宜の構成とすることが可能である。また、保管管理データベース４に格納される情報は適宜のフォームで再生表示することが可能であり、例えば制御部１が、入出庫明細として全ての情報を抽出して所定フォームで表示する構成や、出庫日等の出庫時の情報が入力されている管理番号に対応する情報のみ抽出して所定フォームの出庫一覧として表示する構成や、出荷予定日等の返却受注時の情報が入力され且つ出庫日等の出庫情報が入力されていない管理番号に対応する情報のみを抽出して所定フォームの出荷予定表として表示する構成等とすることができる。
【産業上の利用可能性】
【００２２】
本発明は、例えばスクリーン印刷版の預かり及び返却を行う保管業者が利用することができる。
【図面の簡単な説明】
【００２３】
【図１】実施形態のスクリーン印刷版の保護預かりから返却への流れを示すフローチャート。
【図２】実施形態の保管管理システムのハードウェア構成図。
【図３】（ａ）はスクリーン印刷版の例を示す平面図、（ｂ）は同図（ａ）のスクリーン印刷版の縦断面図。
【符号の説明】
【００２４】
１０  保管管理システム
１  制御部
２  記憶部
３  顧客管理データベース
４  保管管理データベース
５  入力部
６  表示部
７  出力部
２０  スクリーン印刷版
２１  枠材
２２  スクリーンメッシュ
２３  マスク
２４  開口部
２５  接着部
【図２】
2006103133.tif 000003
【図３】
2006103133.tif 000004
【図１】
2006103133.tif 000005